【事件の表示】
　特願２００９−１３３６５３「スクリーン印刷機」拒絶査定不服審判事件〔平成２２年１２月１６日出願公開、特開２０１０−２８００８８〕について、次のとおり審決する。
【結　論】
　本件審判の請求は、成り立たない。
【理　由】
１．手続の経緯
　本願は、平成２１年６月３日の出願であって、平成２３年４月２７日付け、及び同年８月２５日付けで手続補正書が提出され、同年１２月２６日付けで拒絶の査定がなされ、これに対し、平成２４年３月１２日に拒絶査定に対する審判請求がなされると同時に手続補正書が提出されて特許請求の範囲、及び明細書を補正する手続補正がなされ、その後、当審において、同年８月２１日付けで拒絶の理由を通知したところ、これに対し、同年９月２１日付けで手続補正書が提出されたものである。
　
２．本願発明
　本願の請求項１に係る発明は、上記の平成２４年９月２１日付けの手続補正によって補正された特許請求の範囲、明細書、及び図面の記載からみて、特許請求の範囲の請求項１に記載された次のとおりのものと認める。（以下「本願発明」という。） 
「基板に設けられた電極にスクリーン印刷を施すスクリーン印刷機であって、
　基板に接触して用いられ、基板の電極に対応するパターン孔が形成されたスクリーン印刷用マスクと、
　スクリーン印刷用マスクに形成されたパターン孔と基板の電極を合致させた状態でスクリーン印刷用マスク上にペーストを供給し、その後スクリーン印刷用マスクと基板を相対的に離間させることによって電極にペーストを印刷する印刷実行手段と、
　スクリーン印刷用マスクの下面に付着したペーストの拭き取りを行うスクリーン印刷用マスクのクリーニング装置とを備え、
　スクリーン印刷用マスクのクリーニング装置は、スクリーン印刷用マスクの下面に摺擦されるペーパー部材と、上端部に取り付けられた弾性体部材を介してペーパー部材をスクリーン印刷用マスクの下面に押し付けるバックアップ部材と、弾性体部材を介してペーパー部材をスクリーン印刷用マスクの下面に押し付けたバックアップ部材をスクリーン印刷用マスクに対して相対移動させることによりスクリーン印刷用マスクの下面にペーパー部材を摺擦させてスクリーン印刷用マスクの下面に付着したペーストの拭き取りを行うペーパー部材摺擦手段とを有し、
　バックアップ部材の上端部に取り付けられた弾性体部材は、その上面であるペーパー部材との接触面が平面状に形成され、下方に撓んだスクリーン印刷用マスクの下面に追従するように弾性変形してペーパー部材をスクリーン印刷用マスクの下面に押し付けることを特徴とするスクリーン印刷機。」
　
３．引用例
　当審における平成２４年８月２１日付けで通知した拒絶の理由に引用され、本願の出願前である平成１１年７月６日に頒布された「特開平１１−１７９８８３号公報」（以下「引用例」という。）には、次の事項が記載されている。（なお、下線は審決で付した。）
・「
開口部が形成された印刷用マスクの表面をスキージが印刷方向に移動することにより、前記表面上のクリーム半田を前記印刷用マスクの裏面に位置する回路基板面に前記開口部を介して印刷し、印刷用マスクと回路基板を分離することにより回路基板上へ塗布するクリーム半田印刷装置であって、
分離後の前記印刷用マスクの裏面へ流出したクリーム半田粒子
を除去するクリーニングユニットが配置され
・「また、その印刷用マスククリーニング方法によれば、
弾性を有するクリーニングブレードに配置された弾性体プレートはクリーニングペーパーを介して、
印刷用マスクの裏面の形状にならうように変形して、広範囲に面接触して移動することで印刷用マスクをクリーニングする
・「【発明の実施の形態】以下、図面を参照して本発明における実施の形態を詳細に説明する。図１は本発明の一実施の形態におけるクリーム半田印刷装置内のクリーニングユニット周りの概略を示す図である。ここで、前記従来例を示す図６において説明した構成部材に対応し実質的に同等の機能を有するものには同一の符号を付してこれを示す。図１において、３は印刷用マスク、４はクリーム半田粒子とフラックスを拭き取っていくクリーニングペーパー、１１はクリーニングを行う際に使用され前後方向に移動する弾性を有するクリーニングブレード、１２は印刷用マスク３の裏面に密着するようにクリーニングブレード１１に固定される
弾性体プレートの軟質プレート
・「次に、前記実施の形態の動作を図１を参照しながら説明する。まず、クリーム半田印刷装置の
クリーニングユニットには、前後方向に移動するクリーニングブレード１１と、それに固定された印刷用マスク３の裏面にクリーニングペーパー４を密着させる軟質プレート２と、クリーニングペーパー４により印刷用マスク３の裏面に付着したクリーム半田粒子とフラックスを拭き取って、
を設けている
・「
さらに、クリーニング時において、クリーニングブレード１１を上下に駆動させる上下駆動部１５、クリーニングユニット全体を前後方向に駆動させる前後駆動部
これらの各部の動作を制御する制御装置
により構成されている
・「いま、クリーニング時において、クリーニングユニットは図２に示すようにクリーニング開始位置まで前進移動して、さらに、図３に示すように上下駆動部１５によりクリーニングブレード１１が印刷用マスク３の裏面を持ち上げるように上昇する。このとき、クリーニングブレード１１は弾性体で作られているため、印刷用マスク３の裏面に接触してからも変形をしながら、さらに印刷用マスク３にならうように変形する。この状態は図４に示すように、軟質プレート１２がクリーニングペーパー４を介して、印刷用マスク３の裏面とクリーム半田充填用に形成されている開口部３′の形状にならって接触する。クリーニングペーパー４は、印刷用マスク３とクリーニングブレード１１に固定された軟質プレート１２の間に挾まれた状態であり、印刷用マスク３の裏面の広範囲にわたり完全に接触することになる。」（段落【００２４】）
・「この状態を保ったままクリーニングユニットは前後駆動部（図示せず）により前進移動をはじめ、クリーニング終了位置まで移動して止まり、上下駆動部１５によってクリーニングブレード１１は下降し印刷用マスク３の裏面より離れる。さらに、クリーニングペーパー４は、クリーニング動作を行って拭き取りに使用した部分を新しい状態にするため、予め設定された量を巻き取り部１４によって巻き取られる。」（段落【００２５】）
　また、図１、３には、以下の事項が看取できる。
・
上端部にクリーニングブレード１１の下端部を取り付けて、上下駆動部１５と接している部材が設けられている
・
弾性体プレートは、クリーニングペーパーとの接触面が平面状に形成されている
　これらの記載事項及び図示内容を総合すると、引用例には、次の発明（以下、「引用発明」という。）が記載されているものと認められる。
「開口部が形成された印刷用マスクの表面をスキージが印刷方向に移動することにより、前記表面上のクリーム半田を前記印刷用マスクの裏面に位置する回路基板面に前記開口部を介して印刷し、印刷用マスクと回路基板を分離することにより回路基板上へ塗布するクリーム半田印刷装置であって、分離後の前記印刷用マスクの裏面へ流出したクリーム半田粒子を除去するクリーニングユニットが配置され、クリーニングユニットは、前後方向に移動するクリーニングブレードと、それに固定された印刷用マスクの裏面にクリーニングペーパーを密着させる弾性体プレートと、上端部にクリーニングブレードの下端部を取り付けて、上下駆動部と接している部材と、印刷用マスクの裏面に付着したクリーム半田粒子を拭き取るクリーニングペーパーとを設け、さらに、クリーニング時において、クリーニングブレードを上下に駆動させる上下駆動部、クリーニングユニット全体を前後方向に駆動させる前後駆動部、これらの各部の動作を制御する制御装置により構成され、弾性を有するクリーニングブレードに配置された弾性体プレートは、クリーニングペーパーとの接触面が平面状に形成されて、クリーニングペーパーを介して、印刷用マスクの裏面の形状にならうように変形して、広範囲に面接触して移動することで印刷用マスクをクリーニングするクリーム半田印刷装置。」
　
４．対比
　本願発明と引用発明とを対比すると、
後者における「回路基板」は、その構造、機能、作用等からみて、前者における「基板」に相当し、以下同様に、「クリーム半田印刷装置」は、「スクリーン印刷機」に、「開口部」は「パターン孔」に、「印刷用マスク」は「スクリーン印刷用マスク」に、「クリーム半田」は「ペースト」に、「クリーニングユニット」は「クリーニング装置」に、「（印刷用マスクの）裏面」は「（スクリーン印刷用マスクの）下面」に、「クリーニングペーパー」は「ペーパー部材」に、「弾性体プレート及びクリーニングブレード」は「弾性体部材」に、それぞれ相当する。
　また、引用発明は、「開口部が形成された印刷用マスクの表面をスキージが印刷方向に移動することにより、前記表面上のクリーム半田を前記印刷用マスクの裏面に位置する回路基板面に前記開口部を介して印刷し、印刷用マスクと回路基板を分離することにより回路基板上へ塗布するクリーム半田印刷装置であって、分離後の前記印刷用マスクの裏面へ流出したクリーム半田粒子を除去するクリーニングユニットが配置され」ているから、回路基板にスクリーン印刷を施すクリーム半田印刷装置であって、回路基板に接触して用いられ、回路基板に対応する開口部が形成された印刷用マスクと、印刷用マスクに形成された開口部と回路基板を合致させた状態で印刷用マスク上にクリーム半田を供給し、その後印刷用マスクと回路基板を相対的に離間させることによって回路基板にクリーム半田を印刷する印刷実行手段と、印刷用マスクの裏面に付着したクリーム半田の拭き取りを行う印刷用マスクのクリーニングユニットとを備えているといえる。
　また、引用発明の「クリーニングペーパー」は、弾性体プレートによって、印刷用マスクの裏面に密着させられて、印刷用マスクの裏面に付着したクリーム半田粒子を拭き取るから、印刷用マスクの裏面に摺擦されるものといえる。
　また、引用発明の「上端部にクリーニングブレードの下端部を取り付けて、上下駆動部と接している部材」は、その上端部にクリーニングブレードの下端部を取り付けて、上下駆動部によって当該部材を介してクリーニングブレードを駆動させて、クリーニングブレードに固定された弾性体プレートにより、印刷用マスクの裏面にクリーニングペーパーを密着させているから、上端部に取り付けられた弾性体プレート及びクリーニングブレードを介してクリーニングペーパーを印刷用マスクの裏面に押し付けるバックアップ部材といえる。
　また、引用発明のクリーニングユニットは、「クリーニング時において、クリーニングブレードを上下に駆動させる上下駆動部、クリーニングユニット全体を前後方向に駆動させる前後駆動部、及びこれらの各部の動作を制御する制御装置によって、弾性体プレート及びクリーニングブレードを介してクリーニングペーパーを印刷用マスクの裏面に押し付けた上端部にクリーニングブレードの下端部を取り付けて、上下駆動部と接している部材を印刷用マスクに対して相対移動させることにより印刷用マスクの裏面にクリーニングペーパーを摺擦させて印刷用マスクの裏面に付着したクリーム半田粒子の拭き取りを行っているから、ペーパー部材摺擦手段を有しているといえる。
　また、引用発明は、「弾性を有するクリーニングブレードに配置された弾性体プレートは、クリーニングペーパーとの接触面が平面状に形成されて、クリーニングペーパーを介して、印刷用マスクの裏面の形状にならうように変形して、広範囲に面接触して移動することで印刷用マスクをクリーニングする」から、弾性体プレート及びクリーニングブレードは、印刷用マスクとの接触面が平面状に形成され、下方に撓んだ印刷用マスクの裏面に追従するように弾性変形してクリーニングペーパーを印刷用マスクの裏面に押し付けているといえる。
　したがって、両者は、
「基板にスクリーン印刷を施すスクリーン印刷機であって、
　基板に接触して用いられ、基板に対応するパターン孔が形成されたスクリーン印刷用マスクと、
　スクリーン印刷用マスクに形成されたパターン孔と基板を合致させた状態でスクリーン印刷用マスク上にペーストを供給し、その後スクリーン印刷用マスクと基板を相対的に離間させることによってペーストを印刷する印刷実行手段と、
　スクリーン印刷用マスクの下面に付着したペーストの拭き取りを行うスクリーン印刷用マスクのクリーニング装置とを備え、
　スクリーン印刷用マスクのクリーニング装置は、スクリーン印刷用マスクの下面に摺擦されるペーパー部材と、上端部に取り付けられた弾性体部材を介してペーパー部材をスクリーン印刷用マスクの下面に押し付けるバックアップ部材と、弾性体部材を介してペーパー部材をスクリーン印刷用マスクの下面に押し付けたバックアップ部材をスクリーン印刷用マスクに対して相対移動させることによりスクリーン印刷用マスクの下面にペーパー部材を摺擦させてスクリーン印刷用マスクの下面に付着したペーストの拭き取りを行うペーパー部材摺擦手段とを有し、
　バックアップ部材の上端部に取り付けられた弾性体部材は、ペーパー部材との接触面が平面状に形成され、下方に撓んだスクリーン印刷用マスクの下面に追従するように弾性変形してペーパー部材をスクリーン印刷用マスクの下面に押し付けるスクリーン印刷機。」
　の点で一致し、以下の点で一応相違している。
［相違点１］
　本願発明は、基板における、スクリーン印刷を施す部位、スクリーン印刷用マスクに形成されたパターン孔と合致させた部位、及びペーストを印刷する部位が、「電極」であるのに対し、引用発明は、その点につき、明らかでない点。
［相違点２］
　本願発明は、スクリーン印刷用マスクに形成されたパターン孔に対応するのが基板の「電極」であるのに対し、引用発明は、その点につき、明らかでない点。
［相違点３］
　本願発明は、弾性体部材のペーパー部材との接触面が、「その上面である」のに対し、引用発明は、本願発明のようなものではない点。
　
５．当審の判断
　上記相違点について以下検討する。
（５−１）相違点１、及び２について
　一般にスクリーン印刷機において、スクリーン印刷用マスクに形成されたパターン孔が基板に設けられた電極に対応しており、上記パターン孔と上記電極を合致させて上記電極にペーストを印刷することにより、上記電極にスクリーン印刷を施したものは、本願の出願前に周知の技術事項（特開平８−３３０７１９号公報の段落【００１７】〜段落【００２１】及び図２、特開２００２−１１８３５１号公報の段落【０００２】〜段落【０００３】及び図５、並びに特開平１０−２４２６３２号公報の段落【００１５】〜段落【００１７】及び図１〜５参照。以下、「周知の技術事項１」という。）である。そして、引用発明と上記周知の事項１は、共にスクリーン印刷機という技術分野に属するものであり、また格別の技術的意義もないから、引用発明に上記周知の技術事項１を適用することは、当業者が容易に想到し得るものである。
　したがって、引用発明において、上記周知の技術事項を適用することにより、相違点１、及び２に係る本願発明の発明特定事項とすることは、当業者が容易に想到し得るものである。
　
（５−２）相違点３について
　一般にスクリーン印刷機において、ペーパー部材をスクリーン印刷用マスクの下面に押し付ける押圧部材のペーパー部材との接触面が、その上面にあって平面状に形成されたものは、本願の出願前に周知の技術事項（特開平１０−１００３８８号公報の段落【００１０】及び図２、並びに特開平１０−１９３５７７号公報の段落【００３２】及び図２参照。以下、「周知の技術事項２」という。）である。そして、引用発明と上記周知の事項２は、共にスクリーン印刷機という技術分野に属するものであり、またペーパー部材をスクリーン印刷用マスクの下面に押し付けるという共通の機能、作用を有するものであるから、引用発明に上記周知の技術事項２を適用することは、当業者が容易に想到し得るものである。
　したがって、引用発明において、上記周知の技術事項２を適用することにより、相違点３に係る本願発明の発明特定事項とすることは、当業者が容易に想到し得るものである。
　
　そして、本願発明の全体構成によって奏される効果も、引用発明、及び上記周知の技術事項１、２から当業者が予測し得る範囲内のものである。
　
（５−３）．むすび
　したがって，本願発明は，引用発明、及び上記周知の技術事項１、２に基づいて当業者が容易に発明をすることができたものであるから，特許法２９条２項の規定により特許を受けることができない。
　
　よって、結論のとおり審決する。